(57)【特許請求の範囲】
【請求項１】
液晶を挟持して対向配置された第１及び第２の基板を有し、前記第１の基板は、樹脂材料からなる層間膜の表面に形成された下電極と、前記下電極の表面に電極間絶縁膜を介して形成された複数のスリット状の第１の開口を有する上電極とを備え、前記第１及び第２の基板の一方に柱状スペーサを形成し、前記柱状スペーサの先端部を他の基板の表面に接触させた液晶表示パネルにおいて、
前記第１の基板と前記柱状スペーサとの接触部では、前記下電極及び上電極のうちの一方と前記電極間絶縁膜には第２の開口が形成され、前記第２の開口内の前記層間膜の表面には前記下電極及び上電極のうちの他方が直接形成され、前記柱状スペーサは前記第２の開口内で前記下電極及び上電極のうちの他方と接触するように配置されていることを特徴とする液晶表示パネル。
【請求項２】
前記第２の開口は、前記柱状スペーサの径と同じかそれよりも大きいことを特徴とする請求項１に記載の液晶表示パネル。
【請求項３】
前記第２の開口において、前記下電極及び上電極のうちの一方の開口の径は、前記電極間絶縁膜の開口の径よりも大きいことを特徴とする請求項１に記載の液晶表示パネル。
【請求項４】
前記第２の開口及び前記柱状スペーサは、平面視で前記第１の基板に形成されているスイッチング素子と重複する位置に形成されていることを特徴とする請求項１に記載の液晶表示パネル。
【請求項５】
前記第２の開口及び前記柱状スペーサは、１ピクセル毎に１個ずつ形成されていることを特徴とする請求項１〜４の何れかに記載の液晶表示パネル。
【発明の詳細な説明】
【技術分野】
【０００１】
本発明は横電界方式の液晶表示パネルに関し、特に樹脂材料からなる層間膜の表面に電
極間絶縁膜を介して下電極と複数のスリット状開口が形成された上電極を備え、低温衝撃
特性に優れた横電界方式の液晶表示パネルに関するものである。
【背景技術】
【０００２】
液晶表示パネルはＣＲＴ（陰極線管）と比較して軽量、薄型、低消費電力という特徴が
あるため、表示用として多くの電子機器に使用されている。液晶表示パネルは、配向膜に
対してラビング処理することにより所定方向に整列した液晶分子の向きを電界により変え
て、光の透過量ないし反射量を変化させて画像を表示させるものである。
【０００３】
液晶表示パネルの液晶に電界を印加する方法として、縦電界方式のものと横電界方式の
ものとがある。縦電界方式の液晶表示パネルは、液晶を挟んで配置される一対の電極によ
り、概ね縦方向の電界を液晶分子に印加するものである。この縦電界方式の液晶表示パネ
ルとしては、ＴＮ（Twisted Nematic）モード、ＶＡ（Vertical Alignment）モード、Ｍ
ＶＡ（Multi-domain Vertical Alignment）モード等のものが知られている。横電界方式
の液晶表示パネルは、液晶を挟んで配設される一対の基板のうちの一方の内面側に一対の
電極を互いに絶縁して設け、概ね横方向の電界を液晶分子に対して印加するものである。
この横電界方式の液晶表示パネルとしては、一対の電極が平面視で重ならないＩＰＳ（In
-Plane Switching）方式のものと、重なるＦＦＳ（Fringe Field Switching）方式のもの
とが知られている。
【０００４】
このうち、ＦＦＳモードの液晶表示パネルは、電極間絶縁膜を介して上電極と下電極と
からなる一対の電極をそれぞれ異なる層に配置し、上電極にスリット状の開口を形成し、
このスリット状開口を通る概ね横方向の電界を液晶に印加するものである。このＦＦＳモ
ードの液晶表示パネルは、高開口率であり、広い視野角を得ることができると共に画像コ
ントラストを改善できるという効果があるので、近年、多く用いられるようになってきて
いる。
【０００５】
ところで、液晶表示パネルは、セルギャップ（液晶の厚さ）を一定にするため、柱状ス
ペーサが用いられている。このような柱状スペーサは、表示領域内に配置する柱状スペー
サの密度が大きくなると、セルギャップの維持特性は良好となるが、低温衝撃試験におい
て気泡が発生するという問題点が存在している。なお、低温衝撃試験とは、低温環境下に
おける液晶表示パネルの製品品質の保証として行われるものであって、約−２０℃程度の
低温環境下に液晶表示パネルを保持し、その後表示面に衝撃を与えて気泡発生の程度を確
認するものである。そのため、下記特許文献１に開示された発明では、柱状スペーサの径
を変えることによって柱状スペーサの配置密度を最適化し、低温衝撃試験時に気泡の発生
を抑制するようにしている。
【特許文献１】特開２００６−２４３６１４号公報
【特許文献２】特開２００８−７０６８８号公報
【特許文献３】特開２００５−３３８２６４号公報
【発明の開示】
【発明が解決しようとする課題】
【０００６】
近年、より高開口率、高輝度化、高視野角化を目的とした横電界方式の液晶表示パネル
として、透明樹脂からなる層間膜上に、下電極と、窒化ケイ素等の電極間絶縁膜と、複数
のスリット状開口を有する上電極を形成する形式のＦＦＳモードの液晶表示パネルが開発
されてきている（上記特許文献２及び３参照）。しかしながら、発明者等の実験によると
、このような層間膜を備えたＦＦＳモードの液晶表示パネルは、低温衝撃試験において気
泡が発生し易くなることが見出された。このような層間膜を備えたＦＦＳモードの液晶表
示パネルにおける気泡発生現象を、図６を用いて説明する。
【０００７】
図６Ａ〜図６Ｄは、低温衝撃試験時の気泡発生原理を、順を追って説明するための模式
断面図である。
【０００８】
なお、図６においては、気泡発生原理の説明に必要な部分のみが記載されており、その
他の部分の詳細な構成は省略してある。すなわち、液晶表示パネル５０のアレイ基板ＡＲ
は、透明基板５１上に感光性樹脂等からなる層間膜５２が形成され、その表面に窒化ケイ
素等からなる電極間絶縁膜５３が形成されている。本来、電極間絶縁膜５３の両面側には
それぞれ下電極及び上電極が形成されているが、下電極及び上電極は、厚さが電極間絶縁
膜５３よりも薄く、しかも電極間絶縁膜よりも軟質であるので、衝撃特性を考慮する際に
は実質的に無視し得る。また、カラーフィルタ基板ＣＦは、透明基板５４の表面にカラー
フィルタ層５５が形成されている。そして、カラーフィルタ基板ＣＦの表面に感光性樹脂
等からなる柱状スペーサ５６が形成され、この柱状スペーサ５６はアレイ基板ＡＲの表面
に当接している。
【０００９】
液晶表示パネル５０の外表面から外圧Ｆを与える（図６Ａ参照）と、この外圧はカラー
フィルタ基板ＣＦから柱状スペーサ５６を経てアレイ基板ＡＲに伝達され、液晶表示パネ
ル５０は撓みを生じる（図６Ｂ参照）。この状態で外圧Ｆを除去すると、図６Ｃに示した
ように、液晶表示パネル５０は元の状態に復元しようとする。窒化ケイ素等からなる電極
間絶縁膜５３は硬質であるため、その復元速度Ｖ３は液晶５７の復元速度Ｖ４より速い。
しかも、液晶表示パネル５０は、図６Ｃに示したように原位置を越えて撓んだ後、図６Ｄ
に示したように原位置に復元する。図６Ｃに示した原位置よりも撓んだ状態から図６Ｄに
示した原位置に復元する際も、電極間絶縁膜５３の復元速度Ｖ３は液晶５７の復元速度Ｖ
４よりも速い。そのため、液晶５７の内部では、圧力分布に差異が生じ、一部負圧となる
箇所ができる。そのため、図６Ｄに示したように、気泡５８が発生してしまう。この気泡
５８は、特に低温環境下、例えば−２０℃程度の低温環境下ではなかなか消えないため、
表示に支障をきたすこととなる。
【００１０】
このような気泡発生現象は、柱状スペーサ５６を経てアレイ基板ＡＲに伝達された外力
は、硬質な電極間絶縁膜５３によって大部分が受け止められ、軟質な樹脂層からなる層間
膜５２がほとんど外力を吸収できないために生じたものと思われる。そのため、樹脂層か
らなる層間膜を有するＦＦＳモードの液晶表示パネルに対して上記特許文献１に開示され
た発明のような柱状スペーサ密度を最適化するという低温衝撃試験対策を施しても、柱状
スペーサの存在箇所で気泡が発生してしまうため、有効な対策とはなり得ない。
【００１１】
本発明は、上述のような層間膜を備えたＦＦＳモードの液晶表示パネルの有する問題点
を解決すべくなされたものである。すなわち、本発明は、層間膜を備えたＦＦＳモードの
液晶表示パネルにおいて、低温環境下で衝撃試験を行っても気泡が発生し難い液晶表示パ
ネルを提供することを目的とする。
【課題を解決するための手段】
【００１２】
上記目的を達成するため、本発明の液晶表示パネルは、液晶を挟持して対向配置された第１及び第２の基板を有し、前記第１の基板は、樹脂材料からなる層間膜の表面に形成された下電極と、前記下電極の表面に電極間絶縁膜を介して形成された複数のスリット状の第１の開口を有する上電極とを備え、前記第１及び第２の基板の一方に柱状スペーサを形成し、前記柱状スペーサの先端部を他の基板の表面に接触させた液晶表示パネルにおいて、前記第１の基板と前記柱状スペーサとの接触部では、前記下電極及び上電極のうちの一方と前記電極間絶縁膜には第２の開口が形成され、前記第２の開口内の前記層間膜の表面には前記下電極及び上電極のうちの他方が直接形成され、前記柱状スペーサは前記第２の開口内で前記下電極及び上電極のうちの他方と接触するように配置されていることを特徴とする。
【００１３】
本発明の液晶表示パネルは、液晶を挟持して対向配置された第１及び第２の基板を有し、前記第１の基板は、樹脂材料からなる層間膜の表面に形成された下電極と、前記下電極の表面に電極間絶縁膜を介して形成された複数のスリット状の第１の開口を有する上電極とを備えている。係る構成によって本発明の液晶表示パネルはＦＦＳモードで作動するものとなる。なお、電極間絶縁膜としては酸化ケイ素ないし窒化ケイ素等の無機絶縁膜が使用されるが、絶縁性の観点からは窒化ケイ素が望ましい。また、樹脂材料からなる層間膜としては、透明性が良好で、電気絶縁性に優れた感光性又は非感光性の樹脂材料を適宜選択して使用し得る。更に、下電極及び上電極としてはＩＴＯ（Indium Tin Oxide）ないしＩＺＯ（Indium Zinc Oxide）等の透明導電性材料が使用される。
【００１４】
そして、本発明の液晶表示パネルにおいては、第１の基板と柱状スペーサとの接触部では、下電極及び上電極のうちの一方と電極間絶縁膜には第２の開口が形成され、前記第２の開口内の前記層間膜の表面には前記下電極及び上電極のうちの他方が直接形成され、前記柱状スペーサは前記第２の開口内で前記下電極及び上電極のうちの他方と接触するように配置されている。すなわち、本発明の液晶表示パネルにおいては、電極間絶縁膜に第２の開口が形成されていることが必須であり、下電極及び上電極のいずれか一方に第２の開口が形成されており、下電極及び上電極のうち第２の開口が形成されていない方の電極が層間膜の表面に直接形成されている。そして、柱状スペーサは層間膜の表面に直接形成された下電極又は上電極と接触している。そうすると、柱状スペーサは、電極間絶縁膜とは接触せず、層間膜の表面に直接形成された下電極又は上電極を介して層間膜と接触していることとなる。
【００１５】
一般に、下電極及び上電極の厚さは下電極及び上電極との間に形成された電極間絶縁膜
より薄く、また、下電極及び上電極の硬さは電極間絶縁膜より柔らかい。そのため、液晶
表示パネルの表面から外力が加えられた場合、この外力は第２基板、柱状スペーサ、下電
極又は上電極を経て第１基板の層間膜に伝達されることになる。従って、本発明の液晶表
示パネルによれば、液晶表示パネルの表面から外力が加えられても、この外力は樹脂材料
からなる層間膜によって吸収されるので、従来例のように液晶内に負圧が生じることが少
なくなるので、気泡が発生し難くなり、低温耐衝撃特性に優れた液晶表示パネルとなる。
【００１６】
なお、本発明の液晶表示パネルにおいては、電極間絶縁膜に開口を形成する工程は電極
間絶縁膜に各種コンタクトホールの形成工程で同時に形成でき、しかも、下電極ないし上
電極に開口を形成する工程は下電極ないし上電極のパターニング工程において同時に形成
することができる。そのため、本発明の液晶表示パネルを製造するためには、特別の工程
を増やす必要はなく、従来どおりの製造工程で本発明の液晶表示パネルを製造することが
できる。
【００１７】
また、本発明の液晶表示パネルにおいては、前記第２の開口は、前記柱状スペーサの径と同じかそれよりも大きいことが望ましい。
【００１８】
本発明の液晶表示パネルは、第２の開口は柱状スペーサの径と同じかそれよりも大きくなっているので、柱状スペーサは電極間絶縁膜の表面とは接触しないようになる。そのため、本発明の液晶表示パネルによれば、液晶表示パネルの表面から外力が加えられた場合、この外力は樹脂材料からなる層間膜によって効率よく吸収されるため、より気泡が発生し難くなり、より低温耐衝撃特性に優れた液晶表示パネルとなる。加えて、第１の基板上の開口と柱状スペーサの位置合わせが容易となるので、本発明の液晶表示パネルの製造が容易となる。
【００１９】
また、本発明の液晶表示パネルにおいては、第２の開口において、前記下電極及び上電極のうちの一方の開口の径は、前記電極間絶縁膜の開口の径よりも大きいことが望ましい。
【００２０】
第２の開口において、下電極及び上電極のうちの一方の開口の径が電極間絶縁膜の開口の径よりも大きいと、開口内の層間膜の表面に直接形成されている下電極及び上電極のうちの他方との間の距離が大きくなるから、下電極と上電極との間の電気的短絡が生じ難くなり、信頼性の高い液晶表示パネルとなる。
【００２１】
また、本発明の液晶表示パネルにおいては、前記第２の開口及び前記柱状スペーサは、平面視で前記第１の基板に形成されているスイッチング素子と重複する位置に形成されていることが望ましい。
【００２２】
第１の基板に形成されているスイッチング素子は、光不透過性材料である半導体材料及び金属材料等からなる部分が存在しており、更に各サブ画素毎に平面視で大きな面積を占めている。また、柱状スペーサは、開口率を大きくするために、平面視で第１の基板及び第２の基板に形成された光不透過部分に形成される。本発明の液晶表示パネルによれば、前記第２の開口及び柱状スペーサは、平面視で第１の基板に形成されているスイッチング素子と重複する位置に形成されているため、他の部分に形成するよりも柱状スペーサの存在に起因する開口率の低下が少なくなる。なお、本発明の液晶表示パネルにおいて使用し得るスイッチング素子としては、半導体材料としてアモルファスシリコンを使用した薄膜トランジスタ（ＴＦＴ：Thin Film Transistor）、ポリシリコンを使用したＴＦＴ、低温ポリシリコン（ＬＴＰＳ：Low Temperature Poly Silicon）ＴＦＴ、薄膜ダイオードＴＦＤ（Thin Film Diode）等を使用することができる。
【００２３】
また、本発明の液晶表示パネルにおいては、前記第２の開口及び前記柱状スペーサは、１ピクセル毎に１個ずつ形成されていることが望ましい。
【００２４】
柱状スペーサの配置密度に比例して表面に加えられた外力に対する耐力は強くなるが、
低温耐衝撃特性が悪化すると共に、柱状スペーサの存在による柱状スペーサの周囲の液晶
分子の配向に対する悪影響も大きくなる。しかしながら、本発明の液晶表示パネルによれ
ば、柱状スペーサは１ピクセル毎に１個ずつ形成されているので、表面に加えられた外力
に対する耐力と低温耐衝撃特性及び表示画質の調和が取れた液晶表示パネルが得られる。
【発明を実施するための最良の形態】
【００２５】
以下、図面を参照して本発明の最良の実施形態を説明する。但し、以下に示す実施形態
は、本発明の技術思想を具体化するための一例を示すものであって、本発明をこの例に特
定することを意図するものではなく、特許請求の範囲に含まれるその他の実施形態のもの
も等しく適応し得るものである。更に、この明細書における説明のために用いられた各図
面においては、各層や各部材を図面上で認識可能な程度の大きさとするため、各層や各部
材毎に縮尺を異ならせて表示しており、必ずしも実際の寸法に比例して表示されているも
のではない。
【００２６】
図１は第1の実施形態のＦＦＳモードの液晶表示パネルのカラーフィルタ基板を透視し
て表した３サブ画素（１ピクセル）分の模式平面図である。図２は図１のII−II線に沿っ
た断面図である。図３は図１のIII−III線に沿った断面図である。図４Ａ〜図４Ｄは本実
施形態の液晶表示パネルが低温衝撃を受けた場合の挙動を説明する模式図である。図５は
本発明の第２の実施形態のＦＦＳモードの液晶表示パネルの図２に対応する断面図である
。
【００２７】
［第１の実施形態］
第１の実施形態の液晶表示パネル１０Ａを図１〜図３を用いて製造工程順に説明する。
この第１の実施形態のＦＦＳモードの液晶表示パネル１０Ａにおけるアレイ基板ＡＲは、
最初にガラス基板等の透明基板１１の表面全体に亘って、例えばアルミニウム又はアルミ
ニウム合金等の導電性層が形成される。その後、周知のフォトリソグラフィー法及びエッ
チング法によって、表示領域に複数の走査線１２を互いに平行になるように形成すると共
に、表示領域の周縁部にコモン配線（図示省略）を形成する。コモン配線は、ドライバＩ
Ｃや各種端子が配置される周縁の一部を除いて、表示領域の外周部を囲むように、他の配
線よりも太く形成される。
【００２８】
次いで、この表面全体に窒化ケイ素層ないし酸化ケイ素層からなるゲート絶縁膜１３を
被覆する。その後、ＣＶＤ法によりたとえばアモルファス・シリコン（以下「ａ−Ｓｉ」
という。）層をゲート絶縁膜１３の表面全体に亘って被覆した後、同じくフォトリソグラ
フィー法及びエッチング法によって、ＴＦＴ形成領域にａ−Ｓｉ層からなる半導体層１４
を形成する。この半導体層１４が形成されている位置の走査線１２の領域がＴＦＴのゲー
ト電極Ｇを形成する。
【００２９】
次いで、アルミニウム又はアルミニウム合金等からなる導電性層を、半導体層１４を形
成した透明基板１１の表面全体に亘って被覆する。更に、その導電性層を、フォトリソグ
ラフィー法及びエッチング法により、走査線１２に交差するようにソース電極Ｓを含む信
号線１５及びドレイン電極Ｄを形成する。なお、信号線１５のソース電極Ｓ部分及びドレ
イン電極Ｄ部分はいずれも半導体層１４の表面に部分的に重なっている。このようにして
形成されたゲート電極Ｇ、ソース電極Ｓ及びドレイン電極Ｄを有するＴＦＴが本発明のス
イッチング素子に相当する。このＴＦＴは表示領域の走査線１２及び信号線１５によって
区画されたサブ画素領域毎に形成される。その後、上記工程で得られた透明基板１１の表
面全体にパッシベーション膜１７を被覆する。このパッシベーション膜１７としては、窒
化ケイ素層ないし酸化ケイ素層からなるものを使用することができるが、絶縁性の観点か
らは窒化ケイ素層の方が望ましい。
【００３０】
次いで、透明基板１１の表面全体に例えば感光性樹脂からなる膜を形成し、露光及び現
像することによって、各ドレイン電極Ｄ上のコンタクトホール２１の形成予定位置に開口
が形成された一定厚さの層間膜１８を形成する。次いで、エッチングガスとして、ＳＦ６
、ＣＦ４に代表されるフッ素系のガスを使用し、コンタクトホール２１の形成予定位置に
露出しているパッシベーション膜１７をプラズマエッチングして除去し、ドレイン電極Ｄ
の一部を露出させる。
【００３１】
次いで、ＩＴＯないしＩＺＯからなる下側の透明導電性層を積層し、フォトリソグラフ
ィー法及びエッチング法によって、サブ画素領域毎に所定のパターンに下電極１９を形成
すると共に、柱状スペーサ３０が配置される領域の下電極１９に開口３１ａ（図２参照）
を形成する。なお、柱状スペーサ３０が配置される領域の下電極１９に形成された開口３
１ａは、３サブ画素（１ピクセル）毎に１個ずつ形成されている。このように、下電極１
９に形成される開口３１ａは下電極１９をパターニングする際に同時に形成することがで
きる。また、この下電極１９は、全てのサブ画素毎にコンタクトホール２１を介してドレ
イン電極Ｄと電気的に接続されており、画素電極として作動する。
【００３２】
更に、下電極１９が形成された透明基板１１の表面全体に亘り窒化ケイ素層ないし酸化
ケイ素層からなる電極間絶縁膜２０を所定の厚さに形成する。この電極間絶縁膜２０は、
層間膜１８や下電極１９の表面を荒らさないようにするため、ゲート絶縁膜１３やパッシ
ベーション膜１７の形成条件よりも穏やかな条件、いわゆる低温成膜条件で形成される。
その後、この電極間絶縁膜２０をプラズマエッチングすることにより、柱状スペーサ３０
が配置される領域の電極間絶縁膜２０にも開口３１ｂを形成すると共に、例えば表示領域
の周辺部のコモン配線へのコンタクトホール形成予定位置の電極間絶縁膜２０も適宜除去
する。このように、電極間絶縁膜２０に形成される開口３１ｂは、電極間絶縁膜２０にコ
ンタクトホールを形成する際等に、同時に形成することができる。このとき、柱状スペー
サ３０が配置される領域の電極間絶縁膜２０の開口３１ｂの径は、その後に形成される上
電極２２と下電極１９との間の電気的短絡を防止するために下電極１９に形成された開口
３１ａの径よりも小さく、かつ用いる柱状スペーサ３０の径と同じかそれよりも大きくさ
れている。
【００３３】
次いで、透明基板１１の表面全体にＩＴＯないしＩＺＯからなる透明導電性材料を被覆
する。そうすると、透明導電性材料は、コンタクトホール２１側では電極間絶縁膜２０の
表面を被覆し、下電極１９に形成された開口３１ａ内では、下電極１９とは電気的に絶縁
された状態で、層間膜１８の表面を被覆した状態となり、更に表示領域の周辺部でコモン
配線と電気的に接続された状態となる。次いで、フォトリソグラフィー法及びエッチング
法によって、フリンジフィールド効果を発生させるための複数のスリット状開口２４を形
成する。このようにして形成された上電極２２は共通電極として作動する。この後、上電
極２２側の表面全体に配向膜（図示せず）を設けることにより第１の実施形態の液晶表示
パネル１０Ａ用のアレイ基板ＡＲが完成される。
【００３４】
上記のアレイ基板ＡＲに対向するカラーフィルタ基板ＣＦは、従来のＦＦＳモードの液
晶表示パネル用のカラーフィルタ基板と実質的に同様のものを使用できる。すなわち、こ
のカラーフィルタ基板ＣＦは、ガラス基板等からなる透明基板３２の表面に、それぞれの
画素電極として機能する下電極１９に対向する位置に各色のカラーフィルタ層３３が形成
され、そして、カラーフィルタ層３３の表面にはトップコート層３４及び配向膜（図示省
略）が順次形成されている。そして、カラーフィルタ基板ＣＦのカラーフィルタ層３３と
透明基板３２との間には、アレイ基板ＡＲの走査線１２、信号線１５及びＴＦＴに対向す
る位置にはそれぞれ遮光部材（図示省略）が形成されている。そして、ＴＦＴに対向する
位置の遮光部材のうち、アレイ基板ＡＲの電極間絶縁膜２０に形成された開口３１ｂに対
向する位置には、感光性樹脂等からなる柱状スペーサ３０が形成されている。次いで、上
述のアレイ基板ＡＲ及びカラーフィルタ基板ＣＦをそれぞれ対向させて貼り合わせ、柱状
スペーサ３０の先端部がアレイ基板ＡＲの絶縁層２０に形成された開口３１ｂ内に配置さ
れるようにして対向させ、内部に液晶３５を封入することにより第１の実施形態の液晶表
示パネル１０Ａが得られる。
【００３５】
この第１の実施形態の液晶表示パネル１０Ａの低温衝撃試験時の状態を、図４Ａ〜図４
Ｄを用いて説明する。なお、図４Ａ〜図４Ｄにおいては、図６Ａ〜図６Ｄに記載した従来
例の場合と同様に、気泡発生原理の説明に必要な部分のみが記載されており、その他の部
分の詳細な構成は省略してある。すなわち、図４Ａ〜図４Ｄには、第１の実施形態の液晶
表示パネル１０Ａのアレイ基板ＡＲとして、透明基板上１１上に形成された感光性樹脂等
からなる層間膜１８と、その表面に形成された窒化ケイ素等からなる電極間絶縁膜２０の
みが示されている。また、第１の実施形態の液晶表示パネル１０Ａのカラーフィルタ基板
ＣＦとして、透明基板３２上に形成されたカラーフィルタ層３３と、感光性樹脂等からな
る柱状スペーサ３０のみが示されている。なお、下電極１９及び上電極２２は電極間絶縁
膜２０よりも軟質であるので、衝撃特性を考慮する際には、カラーフィルタ基板ＣＦに形
成された柱状スペーサ３０はアレイ基板ＡＲの電極間絶縁膜３２に形成された開口３１ｂ
内で等価的に層間膜１８と接触している状態と見なせる。
【００３６】
ここで、液晶表示パネル１０Ａの外表面から外圧Ｆを与える（図４Ａ参照）と、この外
圧Ｆはカラーフィルタ基板ＣＦから柱状スペーサ３０を経てアレイ基板ＡＲに伝達され、
液晶表示パネル１０Ａは撓みを生じる（図４Ｂ参照）。この状態で外圧Ｆを除去すると、
図４Ｃに示したように、液晶表示パネル１０Ａは元の状態に復元しようとする。柱状スペ
ーサ３０は、電極間絶縁膜２０とは接触しておらず、等価的に層間膜１８と接触している
。層間膜１８は電極間絶縁膜２０よりも軟質であるので、層間膜１８の復元速度Ｖ１は、
液晶３５の復元速度Ｖ２よりも速いが、柱状スペーサ３０が電極間絶縁膜２０と直接接触
している場合と比すると、復元速度の差は小さい。また、液晶表示パネル１０Ａは、図４
Ｃに示したように原位置を越えて撓んだ後、図４Ｄに示したように原位置に復元する。こ
のように、図４Ｃに示した原位置よりも撓んだ状態から図４Ｄに示した原位置に復元する
際も、層間膜１８の復元速度Ｖ１は液晶３５の復元速度Ｖ２よりも速いがその差は小さい
。そのため、液晶３５の内部で圧力分布に差異が生じて部分的に負圧が生じることがあっ
ても、その負圧は小さいため、気泡の発生が抑制される。従って、第１の実施形態の液晶
表示パネル１０Ａによれば、低温環境下で衝撃試験を行っても気泡が発生し難い液晶表示
パネルとなる。
【００３７】
［第２の実施形態］
第２の実施形態の液晶表示パネル１０Ｂの構成を、図５を用いて説明する。第２の実施
形態の液晶表示パネル１０Ｂは、電極間絶縁膜２０に開口３１ｂが形成されている点及び
下電極１９及び上電極２２とが電極間絶縁膜２０に開口３１ｂが形成された部分で電気的
に絶縁されている点では、第１の実施形態の液晶表示パネル１０Ａの場合と同様である。
しかしながら、第２の実施形態の液晶表示パネル１０Ｂでは、上電極２２に開口３１ｃが
形成されており、下電極１９は連続的に層間膜１８を被覆するように形成されている点で
、第１の実施形態の液晶表示パネル１０Ａの場合とは構成が逆になっている。なお、図５
に示した第２の実施形態の液晶表示パネル１０Ｂにおいては、第１の実施形態の液晶表示
パネル１０Ａと同一の構成部分には同一の参照符号を付与してその詳細な説明を省略する
。
【００３８】
この第２の実施形態の液晶表示パネル１０Ｂにおいても、柱状スペーサ３０は、電極間
絶縁膜２０とは接触しておらず、等価的に層間膜１８と接触している状態となるので、第
１の実施形態の液晶表示パネル１０Ａと同様の効果を奏することができる。
【００３９】
なお、上述した第１及び第２の実施形態の液晶表示パネル１０Ａ及び１０Ｂにおいては
、下電極１９が画素電極として作動し、上電極２２が共通電極として作動する形式のもの
を示したが、下電極１９が共通電極として、上電極２２が画素電極として作動する形式の
ものとすることもできる。更に、上述した第１及び第２の実施形態の液晶表示パネル１０
Ａ及び１０Ｂにおいては、スイッチング素子としてａ−ＳｉＴＦＴを形成した例を示した
が、これに限らず、ｐ−ＳｉＴＦＴ、ＬＴＰＳないしＴＦＤ等も使用し得る。
【００４０】
また、上述した第１及び第２の実施形態の液晶表示パネル１０Ａ及び１０Ｂにおいては
、柱状スペーサ３０をスイッチング素子であるＴＦＴに対応する位置に形成した例を示し
た。しかしながら、柱状スペーサは、平面視で遮光領域と重複する位置に形成すれば開口
率が低下しないため、平面視で走査線１２ないし信号線１５と重複する位置に形成しても
よい。更に、上述した第１及び第２の実施形態の液晶表示パネル１０Ａ及び１０Ｂにおい
ては、柱状スペーサ３０を１ピクセル（例えば３サブ画素）毎に１個ずつ形成した例を示
したが、外力に対する耐力を強くするためにより高密度で柱状スペーサを配置しても良い
。しかしながら、柱状スペーサの配置密度に比例して、表面に加えられた外力に対する耐
力は強くなるが、低温耐衝撃特性が悪化すると共に、柱状スペーサの存在による柱状スペ
ーサの周囲の液晶分子の配向に対する悪影響も大きくなる。そのため、表面に加えられた
外力に対する耐力と低温耐衝撃特性及び表示画質の調和が取れるようにするため、１ピク
セル（例えば３サブ画素）毎に１個ずつ形成することが好ましい。
【図面の簡単な説明】
【００４１】
【図１】第1の実施形態のＦＦＳモードの液晶表示パネルのカラーフィルタ基板を透視して表した３サブ画素（１ピクセル）分の模式平面図である。
【図２】図１のII−II線に沿った断面図である。
【図３】図１のIII−III線に沿った断面図である。
【図４】図４Ａ〜図４Ｄは第１の実施形態の液晶表示パネルが低温衝撃を受けた場合の挙動を説明する模式図である。
【図５】本発明の第２の実施形態のＦＦＳモードの液晶表示パネルの図２に対応する断面図である。
【図６】図６Ａ〜図６Ｄは従来例の液晶表示パネルが低温衝撃を受けた場合の挙動を説明する模式図である。
【符号の説明】
【００４２】
１０Ａ、１０Ｂ：液晶表示パネル  １１：透明基板  １２：走査線  １３：ゲート絶縁膜
１４：半導体層  １５：信号線  １７：パッシベーション膜  １８：層間膜  １９：下
電極  ２０：電極間絶縁膜  ２１：コンタクトホール  ２２：上電極  ２４：スリット状
開口  ３０：柱状スペーサ  ３１ａ：下電極の開口  ３１ｂ：電極間絶縁膜の開口  ３１
ｃ：上電極の開口  ３２：透明基板  ３３：カラーフィルタ層  ３４：オーバーコート層
３５：液晶  ＡＲ：アレイ基板  ＣＦ：カラーフィルタ基板
【図１】
0005143637.tif 000002
【図２】
0005143637.tif 000003
【図３】
0005143637.tif 000004
【図４】
0005143637.tif 000005
【図５】
0005143637.tif 000006
【図６】
0005143637.tif 000007